(57)【要約】【課題】振動用の床パネルを大幅に軽量化しながら、従来の床パネルよりも振動を伝わりやすくするようにした音響振動体感装置を提供する。【解決手段】支持部材８に支持された床パネル２の下面に、音響再生装置１１から発生する再生音響に同期する電気信号を機械振動に変換する加振器７を取り付けた音響振動体感装置１であって、床パネル２の主要構成部がハニカム構造体３からなる。【選択図】図１
2017152942.tif 000002
【特許請求の範囲】
【請求項１】
支持部材に支持された床パネルの下面に、音響再生装置から発生する再生音響に同期する電気信号を機械振動に変換する加振器を取り付けた音響振動体感装置であって、
前記床パネルの主要構成部がハニカム構造体からなる音響振動体感装置。
【請求項２】
前記床パネルの厚さが２０ｍｍ〜３０ｍｍである請求項１に記載の音響振動体感装置。
【請求項３】
前記床パネルが前記ハニカム構造体とその上下面に貼り付けた上板と下板とからなり、前記上板と下板の厚さがそれぞれ０．５ｍｍ〜２．０ｍｍである請求項２に記載の音響振動体感装置。
【請求項４】
前記ハニカム構造体のセルサイズが１．６ｍｍ〜２０ｍｍである請求項１〜３のいずれかに記載の音響振動体感装置。
【請求項５】
前記ハニカム構造体の隔壁の厚さが０．０３ｍｍ〜０．５ｍｍである請求項１〜４のいずれかに記載の音響振動体感装置。
【請求項６】
前記ハニカム構造体の隔壁が硬質紙又は繊維強化樹脂板からなる請求項１〜５のいずれかに記載の音響振動体感装置。
【請求項７】
前記床パネルが聴覚障害者の演技台として使用される請求項１〜６のいずれかに記載の音響振動体感装置。
【発明の詳細な説明】
【技術分野】
【０００１】
本発明は音響振動体感装置に関し、さらに詳しくは、振動用の床パネルを大幅に軽量化しながら、従来の床パネルよりも振動を伝わりやすくするようにした音響振動体感装置に関するものである。
【背景技術】
【０００２】
従来、レコードプレーヤなどの音響再生装置から発生する再生音響に対応する電気信号を機械振動に変換し、その機械振動を床パネルを介して足裏で感じさせるようにすることにより、再生音響を聴く時の臨場感を向上させるようにした振動床用パネルが提案されている（特許文献１参照）。また、同様の構成の振動床パネルをステージとして、その床パネル上で歌謡等を演技するとき、長時間にわたって演技しても疲労感を少なくできるようにした音響振動体感装置が知られている（特許文献２参照）。
【０００３】
これらの装置に使用される振動床パネルには、人の全体重が負荷されるので、その体重に耐え得るだけの強度を有するものでなければならない。それ故、床パネルに使用される板材は十分な厚さが必要であり、その結果として、床パネルの重量が相当に大きなものにならざるを得なかった。
【０００４】
また、上記音響振動体感装置を使用する時には、収納場所から搬出したり、或いは演奏会などで使用する時には、会場へ搬送する運搬車に積み降ろしをしたりする。しかし、上記のように重量の大きな床パネルは、搬出や積み降ろしする際に相当大きな労力が必要になる。そのため、女子などの非力な人には大きな負担になる。また、床パネルは、厚さが大きいほど、床パネル下面の加振器で発生する振動が床パネル上面まで伝達される途中での損失量が大きくなるので、床パネル上面への振動伝達量が低減して、足裏で感じ難くなるという問題がある。
【先行技術文献】
【特許文献】
【０００５】
【特許文献１】特開昭５６−１２２０９７号公報
【特許文献２】実開平２−８０４３号公報
【発明の概要】
【発明が解決しようとする課題】
【０００６】
本発明の目的は、振動用の床パネルを大幅に軽量化しながら、従来の床パネルよりも振動を伝わりやすくするようにした音響振動体感装置を提供することにある。
【課題を解決するための手段】
【０００７】
上記目的を達成する本発明の音響振動体感装置は、支持部材に支持された床パネルの下面に、音響再生装置から発生する再生音響に同期する電気信号を機械振動に変換する加振器を取り付けた音響振動体感装置であって、  前記床パネルの主要構成部がハニカム構造体からなることを特徴とするものである。  
【発明の効果】
【０００８】
本発明によれば、床パネルがハニカム構造体で構成されているので、従来の床パネルと同等の耐荷重を有しながら大幅な軽量化を図ることができる。これに伴い、移動時の作業の軽労化を図ることができる。
【０００９】
また、床パネルの主要構成部がハニカム構造体からなっているので、加振器の振動がハニカム構造体の六角柱状空間を仕切る隔壁を介して伝達されることにより、従来の中実の板材だけの床パネルに比べてエネルギー損失を少なくし、効率よく床パネル上面に伝達することができ、その床パネル上面に乗った人の足裏に敏感に感じやすくすることができる。
【図面の簡単な説明】
【００１０】
【図１】本発明の音響振動体感装置を側面視で例示する説明図である。
【図２】図１の音響振動体感装置を平面視で示す説明図である。
【図３】図１のハニカム構造体の一部を示す拡大横断面図である。
【図４】本発明の音響振動体感装置を演奏会に使用した例を示す説明図である。
【００１１】
以下、本発明の音響振動体感装置を図に示した実施形態に基づいて説明する。
【００１２】
図1〜図３に例示する音響振動体感装置１において、振動用の床パネル２は、ハニカム構造体３を主要構成部とし、その上面に上板５を張り付け、下面に下板６を張り付けて構成されている。床パネル２の下面の中央には加振器７が取り付けられ、また四隅にはゴム製の支持部材８が取付けられている。加振器７の取付けは１個だけに限らず、必要に応じて複数個を設けてもよい。
【００１３】
上記加振器７は、後述する図４に例示するように、増幅器９を介して音響再生装置１１に対して電気的に接続されている。加振器７は、永久磁石と電磁コイルとからスピーカと同様の構成からなる従来公知のものであり、音響再生装置１１の電気信号の強弱に応じて電磁コイルに磁力の強弱を発生させ、永久磁石を振動させる。ここで音響再生装置１１とは、レコードプレーヤ、ＣＤプレーヤ、チューナなどである。したがって、加振器７は、音響再生装置１１から発生する再生音響に同期した電気信号を機械振動に変換し、その振動を床パネル２の下面に伝達する。その振動は、さらにハニカム構造体３を経由して上板５の上に乗った人の足裏に伝達される。
【００１４】
本発明の音響振動体感装置１において、床パネル２の横寸法及び縦寸法の大きさは、５０ｃｍ〜１００ｃｍにすることが好ましい。また、床パネル２の厚さは２０ｍｍ〜３０ｍｍが好ましい。この床パネル２の厚さ範囲のうち、上板５と下板６の厚さはそれぞれ０．５ｍｍ〜２．０ｍｍにするとよい。上板５と下板６の厚さは、両方とも同一厚さであっても、或いは異なる厚さであってもよい。ハニカム構造体３の厚さは、床パネル２の厚さから上板５と下板６の厚さを差し引いた寸法になる。
【００１５】
ハニカム構造体３は、図３に示すように、六角筒状の隔壁４ａに囲まれたセル４が多数集積して構成されている。隔壁４ａに使用される材料は、硬質紙、樹脂薄板、金属箔などである。そのうちの樹脂薄板としては、繊維強化樹脂が好ましく、その強化繊維にはアラミド繊維を使用するとよい。金属箔はアルミニウム箔が好ましい。また、上板５及び下板６の材料は、硬質紙、樹脂薄板、木板、金属板などを使用するとよい。そのうちの樹脂薄板としては、ハニカム構造体の隔壁と同様の繊維強化樹脂が好ましく、その強化繊維にはアラミド繊維を使用するとよい。
【００１６】
本発明に使用するハニカム構造体３は、好ましくはセルサイズが１．６ｍｍ〜２０ｍｍであるものがよい。セルサイズとは、セル４を形成する六角筒状体の六角横断面に対する外接円寸法をいう。またハニカム構造体３の隔壁４ａの厚さは、０．０３ｍｍ〜０．５ｍｍであるものが好ましい。周知のように、ハニカム構造体３は内部に空洞を包含し、軽量でありながら高い剛性を有する特徴がある。したがって、ハニカム構造体３で構成された床パネル２は、従来の同一厚さのベニヤ板からなる床パネルと同等以上の曲げ強度を有しながら、その重量が約１／８〜１／４も軽くなっている。そのため、非力な人であっても容易に運搬や移動を行うことができる。
【００１７】
また、床パネル２がハニカム構造体３で構成されているので、このハニカム構造体３の厚さ方向に加振器７の振動が伝達されるとき、六角柱状空間を仕切る隔壁４aだけを媒体として伝達される。従来の中実板材の床パネルのように、パネルの全横断面を媒体として経由しないためエネルギー損失が少なく、効率よく床パネル２の上面へ伝達することができる。したがって、振動を床パネル２の上に乗った人の足裏に強く作用させることができる。
【００１８】
図４は、本発明の音響振動体感装置を聴覚障害者と健常者との共演に使用するようにした例を示す。
【００１９】
本発明の音響振動体感装置１が舞台１３の上に設置され、その音響振動体感装置１の床パネル２の上に聴覚障害者Ｈがダンスを演技するために立っている。また、複数の健常者Ｐが舞台１３の上に直接立って、楽器の演奏や歌唱を行うようにしている。健常者Ｐの演奏する楽器や歌唱の音響はマイクロフォン１０から音響再生装置１１に入力され、その音響再生装置１１から発生する再生音響がスピーカ１２から出力される。また、音響再生装置１１の再生音響に同期する電気信号が増幅器９を介して音響振動体感装置１の加振器７に入力されるので、その再生音響に同期する振動が床パネル２の上面に伝達され、その上で演技する聴覚障害者Ｈの足裏に伝達される。したがって、聴覚障害者Ｈは、健常者Ｐの演奏や歌唱のリズムに合わせた演技を容易に行うことができる。
【００２０】
従来の場合は、聴覚障害者Ｈは健常者Ｐの歌唱等のリズムに合わせるため、健常者Ｐの口の動きを見ながら演技をしていた。しかし、健常者Ｐの口の動きに合わせるのは技術的に非常に難しく、かなりの熟練が必要である。しかし、本発明の音響振動体感装置１を使用すれば、上記した問題を解消することができる。
【００２１】
本発明の音響振動体感装置は、健常者が音楽を鑑賞するときの手段としても使用することができる。健常者は、スピーカ１２から出力される音響を耳で聴くと同時に、スピーカ１２から出る再生音響に同期した振動を床パネル２上に載せた足裏から体感することにより、臨場感にあふれた音楽鑑賞を行うことができる。
【実施例】
【００２２】
実施例１
縦寸法×横寸法×厚さが６０ｃｍ×６０ｃｍ×３０ｍｍの同じ大きさを有する下記３種類の床パネルＡ、Ｂ、Ｃを用意した。床パネルＡ、Ｂが本発明の実施例に相当し、床パネルＣが従来例に相当する。
床パネルＡ：セルサイズ１４ｍｍ、厚さ２８ｍｍの紙製ハニカム構造体に、それぞれ厚さ１ｍｍのボール紙製の上板と下板とを張り合わせた床パネル。重量０．９ｋｇ。
床パネルＢ：セルサイズ８．５ｍｍ、厚さ２８ｍｍの紙製ハニカム構造体に、それぞれ厚さ１ｍｍのボール紙製の上板と下板とを張り合わせた床パネル。重量１．１ｋｇ。
床パネルＣ：全体が中実のベニヤ板製の床パネル。重量７．５ｋｇ。
【００２３】
上記３種類の床パネルの四隅に、それぞれゴム製の支持脚を取り付けると共に、同一仕様の加振器を取り付け、かつそれぞれの上面中央に２０ｋｇの水を封入したプラスチック袋を載せ、その上面に加速度センサを取り付けた。
【００２４】
次いで、それぞれの加振器にファンクションジェネレータから３０Hzの正弦波の電気信号を出力した結果、各床パネル上のプラスチック袋に取り付けた加速度センサから、下記加速度の出力値が検出された。
床パネルＡ：１．４８ｍ／ｓ２
床パネルＢ：０．７５ｍ／ｓ２
床パネルＣ：０．２６ｍ／ｓ２
上記結果から、床パネルＡの振動は従来床パネルＣの約５．７倍であり、また床パネルＢの振動は従来床パネルＣの約２．９倍であった。
【００２５】
実施例２
縦寸法×横寸法×厚さが６０ｃｍ×６０ｃｍ×２０ｍｍの同じ大きさを有する下記２種類の床パネルＤ、Ｅを用意した。床パネルＤが本発明の実施例に相当し、床パネルＥが従来例に相当する。
床パネルＤ：セルサイズ３ｍｍ、厚さ１９ｍｍのアラミド繊維強化樹脂製のハニカム構造体に、それぞれ厚さ０．５ｍｍのアラミド繊維強化樹脂製の上板と下板とを張り合わせた床パネル。重量１．０ｋｇ。
床パネルＥ：全体が中実のベニヤ板からなる床パネル。重量５．０ｋｇ。
【００２６】
上記床パネルの四隅に、それぞれゴム製の支持脚を取り付けると共に、同一仕様の加振器を取り付け、かつそれぞれの上面中央に２０ｋｇの水を封入したプラスチック袋を載せ、その上面に加速度センサを取り付けた。
【００２７】
次いで、それぞれの加振器にファンクションジェネレータから３０Ｈｚの正弦波の電気信号を出力した結果、各床パネル上のプラスチック袋に取り付けた加速度センサから、下記加速度の出力値が検出された。
床パネルＤ：１．２０ｍ／ｓ２
床パネルＥ：０．８９ｍ／ｓ２
上記結果から、床パネルＤの振動は従来床パネルＥの振動の約１．３倍であった。
【符号の説明】
【００２８】
１  音響振動体感装置
２  床パネル
３  ハニカム構造体
４  セル
４ａ  隔壁
５  上板
６  下板
７  加振器
８  支持部材
９  増幅器
１０  マイクロフォン
１１  音響再生装置
１２  スピーカ
１３  舞台
Ｈ  聴覚障害者
Ｐ  健常者
【図１】
2017152942.tif 000003
【図２】
2017152942.tif 000004
【図３】
2017152942.tif 000005
【図４】
2017152942.tif 000006